(57)【特許請求の範囲】
【請求項１】
可動役物と、この可動役物が支軸を介して回動自在に連結された駆動伝達部材と、この駆動伝達部材を介して可動役物をベース部材に沿って往復駆動する役物駆動機構とを備えた可動役物装置を装備したパチンコ遊技機において、
前記可動役物装置は、ベース部材と可動役物の一方に他方へ突出するように設けられた係合部と、この係合部が係合可能にベース部材と可動役物の他方に設けられたガイド部とを有し、この係合部とガイド部とにより、役物駆動機構により可動役物を往復駆動する際に可動役物を支軸を中心に第１位置と第２位置とに亙って往復回動させるようにガイドする役物ガイド機構を備え、
前記役物ガイド機構のガイド部は、前記係合部が係合して可動役物を第１位置から第２位置へ回動させる第１ガイド面と、前記係合部が係合して可動役物を第２位置から第１位置へ回動させる第２ガイド面とを有し、役物駆動機構による可動役物の往復駆動速度を一定とした場合に、可動役物が第１位置から第２位置へ回動する回動速度よりも第２位置から第１位置へ回動する回動速度の方が遅くなるように第１，第２ガイド面を形成したことを特徴とするパチンコ遊技機。
【発明の詳細な説明】
【技術分野】
【０００１】
本発明はパチンコ遊技機に関し、特に、駆動伝達部材に支軸を介して回動自在に連結された可動役物を駆動伝達部材を介して往復駆動し、その際、可動役物を支軸を中心に往復回動させるようにガイドする可動役物装置に関するものである。
【背景技術】
【０００２】
従来、パチンコ遊技機の多くは、遊技演出用に可動役物装置を装備しているが、複数の可動役物を連係させた状態で設け、この複数の可動役物の連動する動作により、一連の遊技演出を実現する可動役物装置が実用化されている（例えば、特許文献１〜３参照）。
【０００３】
特許文献１の可動役物装置では、第１可動役物の基端部がベース部材に回動自在に支持され、第２可動役物が第１可動役物に伸縮自在に装着されている。第１可動役物が第１電動モータにより回動駆動され、第２可動役物が第２電動モータにより伸縮駆動される。第２電動モータは第１可動役物に取付けられ、その駆動力がラック・ピニオンを介して第２可動役物に伝達される。尚、第１，第２可動役物は人の腕を模している。
【０００４】
特許文献２の可動役物装置では、第１可動役物の基端部がベース部材に回動自在に支持され、第２可動役物の基端部が第１可動役物の先端部に回動自在に連結されている。第１可動役物が電動モータで回動駆動されると、その回動力がベース部材と第１，第２可動役物に亙って設けられた複数のギヤにより第２可動役物に伝達され、第２可動役物が回動駆動される。尚、第１，第２可動役物は人の胴と腕を模している。
【０００５】
特許文献３の可動役物装置では、第１可動役物が直線的に移動駆動され、その第１可動役物の軸状部に環状溝が形成されている。第２可動役物の基端部がベース部材に回動自在に支持され、この第２可動役物に第１可動役物の環状溝に係合する突起部が設けられている。この環状溝と突起部との係合により、第１可動役物の往復移動に連動して可動役物が往復回動する。尚、第１，第２可動役物は種子のような物を模している。
【先行技術文献】
【特許文献】
【０００６】
【特許文献１】特開２００８−１８００９
【特許文献２】特開２００７−２５２７３４
【特許文献３】特開２００７−１３０１４７
【発明の概要】
【発明が解決しようとする課題】
【０００７】
特許文献１の可動役物装置では、第１，第２可動役物を夫々駆動する第１，第２電動モータが必要になるため、構造が大型化し、製作コストが高価になる。しかも、第２電動モータは第１可動役物に取付けられているため、第１，第２可動役物の第２電動モータを含む全重量が重くなる。つまり、第１可動役物を第２可動役物及び第２電動モータと共に回動駆動する負荷が大きくなり、第１可動役物が円滑に回動しない虞もある。
【０００８】
特許文献２の可動役物装置では、電動モータにより第１可動役物が回動駆動されると、その回動に連動して第２可動役物が回動する。しかし、そのために、ベース部材と第１，第２可動役物に亙って複数のギヤを設ける必要があるため、部品点数が増大し、構造が複雑化し、製作コストが高価になる。
【０００９】
特許文献３の可動役物装置では、第１可動役物が直線的に往復移動することにより、その往復移動に連動して第２可動役物が回動する。しかし、第２可動役物はベース部材に回動自在に装着されたものであり、ベース部材に対して単純に回動するのみの動作となる。
【００１０】
特許文献３の可動役物装置のように、役物駆動機構により第１可動役物を移動させるとともに、その移動に連動して第２可動役物を回動させるものでは、第２可動役物を回動させる際の役物駆動機構の駆動負荷が大きくなる。特に、第１可動役物を停止状態から駆動する際、その駆動開始時から第２可動役物を回動させる場合の駆動負荷が非常に大きくなる。従って、場合によって、第１，第２可動役物の動作を円滑に実現できない虞があり、役物駆動機構に高出力の電動モータを適用する必要がある。
【００１１】
本発明の目的は、パチンコ遊技機の可動役物装置において、駆動伝達部材に支軸を介して回動自在に連結された可動役物を駆動伝達部材を介して往復駆動する際、可動役物を支軸を中心に往復回動させるようにガイドし、特に、可動役物を停止状態から駆動する際、その駆動開始時から可動役物を回動させる場合の駆動負荷を軽減すること、等である。
【課題を解決するための手段】
【００１２】
請求項１の発明は、可動役物(42)と、この可動役物(42)が支軸(48)を介して回動自在に連結された駆動伝達部材(41)と、この駆動伝達部材(41)を介して可動役物(42)をベース部材(40)に沿って往復駆動する役物駆動機構(43)とを備えた可動役物装置(17)を装備したパチンコ遊技機(1) において、前記可動役物装置(17)は、ベース部材(40)と可動役物(42)の一方に他方へ突出するように設けられた係合部(70)と、この係合部(70)が係合可能にベース部材(40)と可動役物(42)の他方に設けられたガイド部(72)とを有し、この係合部(70)とガイド部(72)とにより、役物駆動機構(43)により可動役物(42)を往復駆動する際に可動役物(42)を支軸(48)を中心に第１位置と第２位置とに亙って往復回動させるようにガイドする役物ガイド機構(44)を備え、前記役物ガイド機構(44)のガイド部(72)は、前記係合部(70)が係合して可動役物(42)を第１位置から第２位置へ回動させる第１ガイド面(72a) と、前記係合部(70)が係合して可動役物(42)を第２位置から第１位置へ回動させる第２ガイド面(72b) とを有し、役物駆動機構(43)による可動役物(42)の往復駆動速度を一定とした場合に、可動役物(42)が第１位置から第２位置へ回動する回動速度よりも第２位置から第１位置へ回動する回動速度の方が遅くなるように第１，第２ガイド面(72a,72b) を形成したことを特徴とする。
【発明の効果】
【００２１】
本発明のパチンコ遊技機によれば、役物駆動機構により可動役物を停止状態（例えば、第２位置に停止している状態）から駆動する際、その駆動開始時から可動役物を第１位置へ回動させる場合の駆動負荷を軽減することができる。
【図面の簡単な説明】
【００２３】
【図１】実施例１のパチンコ遊技機の正面図である。
【図２】遊技盤とセンタ役物の正面図である。
【図３】センタ役物の正面図である。
【図４】パチンコ遊技機の制御系のブロック図である。
【図５】遊技盤と可動役物装置の正面図である。
【図６】遊技盤と可動役物装置の後面図である。
【図７】可動役物装置（第１可動役物が退避位置）の正面図である。
【図８】可動役物装置の図７の状態の後面図である。
【図９】可動役物装置の前側からの分解斜視図である。
【図１０】可動役物装置の後側からの分解斜視図である。
【図１１】可動役物装置（第１可動役物が突出位置）の正面図である。
【図１２】可動役物装置の図１１の状態の後面図である。
【図１３】可動役物装置（第１可動役物が第１特定移動範囲と第１特定移動範囲外との境界位置）の正面図である。
【図１４】可動役物装置（第１可動役物が第２特定移動範囲と第２特定移動範囲外との境界位置）の正面図である。
【図１５】コロの移動経路を示す図である。
【図１６】実施例２の図８相当図である。
【図１７】実施例２の図１２相当図である。
【図１８】変更例を示す図８相当図である。
【図１９】別の変更例を示す図８相当図である。
【発明を実施するための形態】
【００２４】
本発明は、パチンコ遊技機のセンタ役物に装備された可動役物装置に適用されている。以下、発明を実施するための形態について実施例に基づいて説明する。
【実施例１】
【００２５】
図１、図２に示すように、パチンコ遊技機１には、遊技ホールに取付けられる外枠に開閉枠２が開閉自在に装着され、開閉枠２に開閉扉３が開閉自在に装着されている。開閉枠２に遊技盤４が装着され、その遊技盤４の前面側に遊技領域４ａが形成されている。開閉扉３に窓３ａが形成され、その窓３ａに透明板３ｂが装着され、その透明板３ｂにより遊技領域４ａの前側が覆われている。
【００２６】
開閉扉３には、窓３ａの下側に貯留皿５が設けられ、その貯留皿５に演出ボタン装置６が装着され、貯留皿５の右下側に発射ハンドル７が装着されている。発射ハンドル７が回動操作されると、貯留皿５から発射位置に導入された遊技球が発射され、貯留皿５に複数の遊技球が存在する場合には、複数の遊技球が約０．６秒間隔で連続発射される。発射された遊技球はガイドレール８で案内され遊技領域４ａの上部に投入される。
【００２７】
図２〜図４に示すように、遊技盤４には、多数の障害釘（図示略）の他、第１始動口１０、第２始動口装置１１、ゲート１２、大入賞口装置１３、複数の一般入賞口１４、センタ役物１５、画像表示器１６、可動役物装置１７、遊技表示盤１９が図２に示す配置で装着され、遊技盤４の裏面側に制御装置２０が装着されている。
【００２８】
第１始動口１０には入賞した遊技球を検出する第１始動口スイッチ１０ａが付設され、ゲート１２には通過した遊技球を検出するゲートＳＷ１２ａが付設され、各一般入賞口１４には入賞した遊技球を検出する一般入賞口スイッチ１４ａが付設されている。尚、「ＳＷ」はスイッチを意味する。
【００２９】
第２始動口装置１１は、第２始動口１１ａ、第２始動口１１ａを開閉する開閉部材１１ｂ、第２始動口１１ａに入賞した遊技球を検出する第２始動口ＳＷ１１ｃ、開閉部材１１ｂを開閉駆動する第２始動口ＳＯＬ１１ｄを有する。尚、「ＳＯＬ」はソレノイドアクチュエータを意味する。開閉部材１１ｂは、閉位置で第２始動口１１ａへの遊技球の入賞を不可能にし、開位置で第２始動口１１ａへの遊技球の入賞を可能にする。
【００３０】
大入賞口装置１３は、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ＳＯＬ１３ｄを有する。開閉部材１３ｂは、閉位置で大入賞口１３ａへの遊技球の入賞を不可能にし、開位置で大入賞口１３ａへの遊技球の入賞を可能にする。
【００３１】
センタ役物１５は、遊技盤４の前面よりも前方へ張出す枠部材であって、遊技盤４の上部から中央部分に亙って遊技領域４ａの半分以上を占めるサイズで設けられたセンタ役物本体１５ａと、センタ役物本体１５ａの後側に設けられたセンタ役物ベース枠１５ｂとを有し、このセンタ役物１５に画像表示器１６と可動役物装置１７が装着されている。
【００３２】
遊技盤４にはセンタ取付穴４ｂ（図５、図６参照）が形成され、このセンタ取付穴４ｂにセンタ役物本体１５ａが嵌合され、遊技盤４の後面部にセンタ役物ベース枠１５ｂが取付けられている。画像表示器１６は、その画面がセンタ役物本体１５ａの内側領域の大部分に臨むように、センタ役物ベース枠１５ｂに後側から装着されている。
【００３３】
可動役物装置１７は、その第１，第２可動役物４１，４２が、遊技盤４及びセンタ役物本体１５ａよりも後方に位置して、センタ役物本体１５ａの内側領域の右部と画像表示器１６の画面に臨むように、センタ役物ベース枠１５ｂの右部に装着されている。
【００３４】
遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００３５】
第１特別図柄表示器１９ａには、第１始動口１０への遊技球の入賞に基づいて第１特別図柄が図柄変動後に停止表示され、第２特別図柄表示器１９ｂには、第２始動口１１ａへの遊技球の入賞に基づいて第２特別図柄が図柄変動後に停止表示される。第１又は第２特別図柄表示器１９ａ又は１９ｂに大当り図柄が停止表示された場合、大当り遊技状態が発生して、大入賞口装置１３が、開閉部材１３ｂを開閉動作させ、通常は閉塞の大入賞口１３ａを複数ラウンドに亙って開閉させる。
【００３６】
普通図柄表示器１９ｃには、ゲート１２への遊技球の入賞（通過）に基づいて普通図柄が図柄変動後に停止表示される。普通図柄表示器１９ｃに当り図柄が停止表示された場合、補助遊技が発生して、第２始動口装置１１が、開閉部材１１ｂを開閉動作させ、通常は閉塞の第２始動口１１ａを１又は複数回開閉させる。
【００３７】
第１特別図柄保留ランプ１９ｄには、第１始動口１０に入賞した遊技球の所謂第１特図保留数が最大で４個表示され、第２特別図柄保留ランプ１９ｅには、第２始動口１１ａに入賞した遊技球の所謂第２特図保留数が最大で４個表示され、普通図柄保留ランプ１９ｆには、ゲート１２に入賞した遊技球の所謂普図保留数が最大で４個表示される。
【００３８】
発射ハンドル７を回動操作することで、遊技領域４ａの上部に発射投入された遊技球は、複数の障害釘に当たって方向を変えながら落下して、入賞口１０，１１ａ，１３ａ，１４の何れかに入賞した場合、そこから遊技領域４ａ外へ排出され、入賞口１０，１１ａ，１３ａ，１４の何れにも入賞しなかった場合には、最終的に、遊技領域４ａの下端部に形成されたアウト口９から遊技領域４ａ外へ排出される。
【００３９】
パチンコ遊技機１の制御系について説明する。
図４に示すように、制御装置２０は、メイン制御装置２１とサブ制御装置２５とで構成されている。メイン制御装置２１は、遊技制御基板２２にＣＰＵとＲＯＭとＲＡＭを備えて構成されている。遊技制御基板２２は盤用外部情報端子基板２３に接続されている。
【００４０】
サブ制御装置２５は、払出制御基板２６、演出制御基板２７、画像制御基板２８、ランプ制御基板２９に夫々ＣＰＵとＲＯＭとＲＡＭを備えて構成され、演出制御基板２７には更にＲＴＣを備えている。払出制御基板２６は枠用外部情報端子基板２４に接続されている。尚、「ＲＴＣ」はリアルタイムクロックを意味する。
【００４１】
遊技制御基板２２は、第１，第２始動口ＳＷ１０ａ，１１ｃ、ゲートＳＷ１２ａ、大入賞口ＳＷ１３ｃ、一般入賞口ＳＷ１４ａからの球検出信号と、払出制御基板２６からの制御情報を受けて、第２始動口ＳＯＬ１１ｄ、大入賞口ＳＯＬ１３ｄ、図柄表示器１９ａ〜１９ｃ、図柄保留ランプ１９ｄ〜１９ｆを制御し、払出制御基板２６と演出制御基板２７と盤用外部情報端子基板２３に制御情報（遊技情報）を出力する。
【００４２】
払出制御基板２６は、遊技制御基板２２からの制御情報と、払出球検出ＳＷ３１、球有り検出ＳＷ３２、満タン検出ＳＷ３３からの球検出信号を受けて、払出モータ３０を制御し、入賞口１０，１１ａ，１３ａ，１４への遊技球の入賞１個について、入賞口１０，１１ａ，１３ａ，１４毎に設定された数の遊技球を貯留皿５に払出し、遊技制御基板２２と枠用外部情報端子基板２４に制御情報（払出情報）を出力する。
【００４３】
演出制御基板２７は、遊技制御基板２２からの制御情報と、演出ボタン装置６からのボタン操作信号を受けて、画像制御基板２８に制御情報を出力し、更に、画像制御基板２８からの制御情報を受けて、ランプ制御基板２９に制御情報を出力する。画像制御基板２８は、演出制御基板２７からの制御情報を受けて、画像表示器１６とスピーカ３４とを制御し、演出制御基板２７に制御情報を出力する。ランプ制御基板２９は、演出制御基板２７からの制御情報を受けて、主に画像制御基板２８による制御に同期させて、枠ランプ３５と盤ランプ３６とを制御し、更に、可動役物装置１７を制御する。
【００４４】
可動役物装置１７について詳しく説明する。
図２、図３、図５〜図１５に示すように、可動役物装置１７は、ベース部材４０、ベース部材４０に移動自在にガイド支持された第１可動役物４１、第１可動役物４１に支軸４８を介して回動自在に連結された第２可動役物４２、第１可動役物４１及び第２可動役物４２を第１可動役物４１を介して往復駆動する役物駆動機構４３、役物駆動機構４３により第１，第２可動役物４１，４２を往復駆動する際に第１可動役物４１の移動範囲Ａのうち第１又は第２特定移動範囲Ｂ１又はＣ１（図１３、図１４参照）における往復移動時に第２可動役物４２を支軸４８を中心に往復回動させ且つ第１可動役物４１の移動範囲Ａのうち第１又は第２特定移動範囲外Ｂ２又はＣ２（図１３、図１４参照）における往復移動時に第２可動役物４２を支軸４８を中心に往復回動させないようにガイドする第２役物ガイド機構４４を備えている。尚、第１，第２可動役物４１，４２、第２役物ガイド機構４４が夫々特許請求の範囲に記載の駆動伝達部材、可動役物、役物ガイド機構に相当する。
【００４５】
更に、可動役物装置１７は、第１可動役物４１の往復移動方向のうちの一方の移動方向（第１可動役物４１が後述の退避位置から突出位置へ移動する方向）へ第１可動役物４１を付勢するバネ部材８１を有するアシストバネ機構８０、第１可動役物４１の往復移動端での移動停止による衝撃を吸収するクッション部材９０，９１、第２可動役物４２の往復移動端での移動停止による衝撃を吸収するクッション部材９２，９３を備えている。
【００４６】
ベース部材４０は、上下長が左右長の約２倍ある合成樹脂製の矩形板状に形成され、遊技盤４と平行に且つセンタ役物本体１５ａの後側に隠れた状態で配置されて、センタ役物本体１５ａの後面部とセンタ役物ベース枠１５ｂの前面部の少なくとも一方に取付けられている。ベース部材４０の周囲には略全周に亙って周壁４０ａが形成され、この周壁４０ａ等によりベース部材４０の剛性が高められている。
【００４７】
第１可動役物４１は、その移動方向に細長く形成され、先の尖った長剣を模して、ベース部材４０の前側に配設されている。第１可動役物４１は、その大部分がセンタ役物本体１５ａ（装飾部材）の後側に隠れた退避位置（図２、図３、図７、図８参照）と、その大部分がセンタ役物本体１５ａから現れた突出位置（図５、図６、図１１、図１２参照）とに亙って遊技盤４と平行方向に直線的に移動可能に構成されている。
【００４８】
第１可動役物４１は、画像表示器１６の画面の上下長の約１／２の長さを有し、鉛直方向から左側へ約２０度傾斜した方向へ移動する。そして、第１可動役物４１が退避位置のときには、その中央付近部から下側部分がセンタ役物本体１５ａの後側に隠れた状態になり、第１可動役物４１が突出位置のときには、その下端付近部以外の部分がセンタ役物本体１５ａから現れて、画像表示器１６の画面の前側に位置した状態になる。
【００４９】
第１可動役物４１は、合成樹脂製の第１役物ベース４１ａと、その前側を覆う合成樹脂製の第１役物装飾カバー４１ｂとを有する。第１役物ベース４１ａの前面部には基板（図示略）が取付けられ、その基板の前面に複数のＬＥＤ（図示略）が実装されている。第１役物装飾カバー４１ｂは、多数の凹凸が有る透明なレンズを有し、このレンズとレンズを通過する前記複数のＬＥＤからの光によって、第１可動役物４１が電飾される。
【００５０】
尚、ベース部材４０には、センタ役物本体１５ａの近傍において、第１可動役物４１の前側を部分的にカバーするカバー部材４７が設けられている。
【００５１】
ここで、可動役物装置１７は、第１可動役物４１をベース部材４０に退避位置と突出位置とに亙って直線的に移動自在にガイド支持する第１役物ガイド機構４５を備えている。この第１役物ガイド機構４５は、第１可動役物４１にベース部材４０の方（後方）へ突出するように設けた１対のコロ５０ａを有する係合体５０と、ベース部材４０に１対のコロ５０ａが係合するように設けられ、第１可動役物４１の移動方向と平行方向へ延びるストレート係合溝５２等により構成されている。
【００５２】
ストレート係合溝５２は、第１可動役物４１の移動ストロークの約２倍の長さを有し、且つある程度大きな前後方向の幅を有する。ここで、ベース部材４０は、台形状の第１ベース板部４０ｂと、その右側に且つ第１ベース板部４０ｂよりも少し前方に位置する逆三角形状の第２ベース板部４０ｃとを有し、この段差を利用して、第１，第２ベース板部４０ｂ，４０ｃの境界部分にストレート係合溝５２が形成されている。
【００５３】
係合体５０は、第１可動役物４１の下部の右縁近傍部に装着され、１対のコロ５０ａが上下に配置され、それらの間隔は第１可動役物４１の移動ストロークと略同じになる。下側のコロ５０ａがストレート係合溝５２の下端部に係合して、第１可動役物４１が退避位置になり、上側のコロ５０ａがストレート係合溝５２の上端部に係合して、第１可動役物４１が突出位置になる。係合体５０は、１対のコロ５０ａの前側に配置された細長い連結片５０ｂを有する。
【００５４】
第１可動役物４１の退避位置が原点位置になり、この原点位置を検出するために、第１可動役物４１に被検出部５５が設けられ、ベース部材４０に原点検出センサ５６が設けられている。被検出部５５は、第１可動役物４１の下部に左方突出状に設けられた遮蔽板５５からなり、原点検出センサ５６は、ベース部材４０の下部に取付けられた発光部と受光部とを有する光学センサ５６からなる。第１可動役物４１が退避位置のときに、光学センサ５６は、その発光部と受光部との間が遮蔽板５５で遮られることで、第１可動役物４１の原点位置（退避位置）を検出する。
【００５５】
第２可動役物４２は、第１可動役物４１よりも一回り小さいサイズで細長く形成され、先の尖った短剣を模して、ベース部材４０の前側に且つ第１可動役物４１の後側に配設されている。第２可動役物４２は、その基端部が前後方向の支軸４８を介して第１可動役物４１の中央部よりも多少下側部分に回動自在に支持されている。
【００５６】
第２可動役物４２は、その全部が第１可動役物４１の後側に重なって隠れる第１位置（非作動位置：図７、図８、図１３、図１４参照）と、この第１位置から反時計回り方向に回動してその大部分が第１可動役物４１から現れる第２位置（作動位置：図５、図６、図１１、図１２参照）とに亙って回動可能に構成されている。
【００５７】
第２可動役物４２は、第１可動役物４１の約３／４〜２／３の長さを有する。第２可動役物４２は、第１可動役物４１が第１又は第２特定移動範囲外Ｂ２又はＣ２にあるときに第１位置になり、第１可動役物４１が第１又は第２特定移動範囲Ｂ１又はＣ１にあるときに第１位置以外の第２位置を含む位置になり、第１可動役物４１から現れる。第２可動役物４２が、第１位置から反時計回り方向へ約９０度回動して第２位置になり、その下端付近部以外の部分が第１可動役物４１から現れ、画像表示器１６の画面の前側に位置する。尚、第１特定移動範囲Ｂ１は第１可動役物４１が退避位置から突出位置へ移動する（第２可動役物４２が第１位置から第２位置へ回動する）場合の突出位置とその近傍位置に対応する範囲である。
【００５８】
第２可動役物４２は、合成樹脂製の第２役物ベース４２ａと、その前側を覆う合成樹脂製の第２役物装飾カバー４２ｂとを有する。第２役物ベース４２ａの前面部には基板（図示略）が取付けられ、その基板の前面に複数のＬＥＤ（図示略）が実装されている。第２役物装飾カバー４２ｂは、多数の凹凸が有る透明なレンズを有し、このレンズとレンズを通過する前記複数のＬＥＤからの光によって、第２可動役物４２が電飾される。
【００５９】
役物駆動機構４３は、ベース部材４０に取付けられた電動モータ６０（ステッピングモータ６０）と、この電動モータ６０により複数のギヤ６１ａを介して回動される駆動ギヤ６１（ピニオン６１）と、第１可動役物４１に設けられて駆動ギヤ６１が噛合するラック６２とを有する。
【００６０】
電動モータ６０は、ベース部材４０の右上部の後面部に前向きに取付けられ、駆動ギヤ６１はベース部材４０の前側且つ電動モータ６０の下側に配設されている。ラック６２は、第１可動役物４１（第１役物ベース４１ａ）の右縁後面部に、その中央付近部から下端部に亙って設けられている。このラック６２に係合体５０が後方突出状に取付けられている。第２可動役物４２は第１位置から第２位置へラック６２と反対側へ回動する。
【００６１】
第２役物ガイド機構４４は、第２可動役物４２にベース部材４０の方（後方）へ突出するように設けられた係合部材７０と、第１可動役物４１が第１又は第２特定移動範囲Ｂ１又はＣ１（図１３、図１４参照）にあるときに係合部材７０が係合可能にベース部材４０に設けられ且つ第２可動役物４２の回動面と平行な面（つまり、遊技盤４と平行な面）に沿って第１可動役物４１の移動方向と平行でない方向へ延びるガイド溝７２とを有し、この係合部材７０とガイド溝７２とにより、役物駆動機構４３により第１，第２可動役物４１，４２を往復駆動する際に、第１可動役物４１の第１又は第２特定移動範囲Ｂ１又はＣ１における往復移動時にその移動に連動して第２可動役物４２を支軸４８を中心に第１位置と第２位置とに亙って往復回動させるようにガイドする。尚、係合部材７０、ガイド溝７２が夫々特許請求の範囲に記載の係合部、ガイド部に相当する。
【００６２】
ガイド溝７２は、第１可動役物４１が突出位置へ移動する際に係合部材７０が係合して第２可動役物４２を第１位置から第２位置へ回動させる第１ガイド面７２ａと、第１可動役物４１が退避位置へ移動する際に係合部材７０が係合して第２可動役物４２を第２位置から第１位置へ回動させる第２ガイド面７２ｂとを有し、役物駆動機構４３による第１，第２可動役物４１，４２の往復駆動速度を一定とした場合に、第２可動役物４２が第１位置から第２位置へ回動する回動速度よりも第２位置から第１位置へ回動する回動速度の方が遅くなるように第１，第２ガイド面７２ａ，７２ｂが形成されている。
【００６３】
また、第２役物ガイド機構４４は、第１可動役物４１が第１又は第２特定移動範囲外Ｂ２又はＣ２（図１３、図１４参照）にあるときに係合部材７０が係合可能にベース部材４０に設けられ且つガイド溝７３の下端部に連なり且つ第１可動役物４１の移動方向と平行方向へ延びるストレートガイド溝７３を有し、係合部材７０とストレートガイド溝７３とにより、役物駆動機構４３により第１，第２可動役物４１，４２を往復駆動する際に、第１可動役物４１の第１又は第２特定移動範囲外Ｂ２又はＣ２における往復移動時に第２可動役物４２を支軸４８を中心に回動させないで第１位置に保持するようにガイドする。尚、ストレートガイド溝７３が特許請求の範囲に記載のストレートガイド部に相当する。
【００６４】
ストレートガイド溝７３は、長さが異なる第１，第２ストレートガイド面７３ａ，７３ｂを有する。長い方の第１ストレートガイド面７３ａは、第１可動役物４１の移動ストロークの約２／３の長さを有し、第２ストレートガイド面７３ｂよりも上方へ延び第１ガイド面７２ａに繋がっている。短い方の第２ストレートガイド面７３ｂは、第１可動役物４１の移動ストロークの約１／３の長さを有し、第２ガイド面７２ｂに繋がっている。第１，第２ストレートガイド面７３ａ，７３ｂ間の幅は、係合部材７０の溝係合部分の直径と略同じ若しくは係合部材７０の溝係合部分の直径よりも少し大きな幅に形成されている。
【００６５】
ガイド溝７２において、支軸４８の移動方向（つまり、第１可動役物４１の移動方向と平行方向）における第１ガイド面７２ａの長さが前記同方向における第２ガイド面７２ｂの長さよりも短く、第２可動役物４２が第１位置から第２位置へ回動する場合と第２位置から第１位置へ回動する場合とでガイド溝７２内における係合部材７０の移動経路（図１５に示す）が異なるように構成されている。
【００６６】
第１ガイド面７２ａは、第１ストレートガイド面７３ａの上端から上方程左方へ移行するように湾曲状に延びる円弧状ガイド面からなり、第２ガイド面７２ｂは、第２ストレートガイド面７３ｂの上端から上方程左方へ移行するように第１ガイド面７２ａよりも緩やかな湾曲状に或いは直線的に延びるガイド面からなる。第２可動役物４２が第２位置（第１可動役物４１が突出位置）に位置する場合の係合部材７０の位置に対応する第１，第２ガイド面７２ａ，７２ｂの上端部間の幅が最小になり、係合部材７０の溝係合部分の直径よりも少し大きな幅になる。
【００６７】
ここで、ベース部材４０には、ガイド溝７２（第１，第２ガイド面７２ａ，７２ｂ）の上端部から第１可動役物４１の移動方向と平行方向へ且つストレートガイド溝７３と反対側へ突出するストレート短溝７４が設けられている。
【００６８】
係合部材７０は、第２可動役物４２の基端側部分に、支軸４８よりも先端側に装着されている。係合部材７０の軸心と支軸４８の軸心とを通る直線が第１可動役物４１の移動方向と平行になり、係合部材７０と支軸４８間の距離が、ストレートガイド溝７３の中心線とストレート短溝７４の中心線間の距離と略同じになるように、支軸４８と係合部材７０が配置されている。
【００６９】
係合部材７０がストレートガイド溝７３に係合して、第２可動役物４２が第１位置になり、第１可動役物４１が退避位置にあるときに、係合部材７０がストレートガイド溝７３の下端部に係合する。係合部材７０がガイド溝７２の上端部又はストレート短溝７４に係合して、第２可動役物４２が第２位置になる。
【００７０】
係合部材７０は鍔付きピン部材７０からなり、この鍔付きピン部材７０は、第２可動役物４２に後方突出状に取付けられた軸７１に回転自在に装着され、その鍔を後端に位置させてガイド溝７２、ストレートガイド溝７３、ストレート短溝７４に後側から係合する。鍔付きピン部材７０は、軸７１の後端部に装着のＣリング（図示略）で軸７１から抜止めされている。
【００７１】
アシストバネ機構８０は、一端側部分がベース部材４０に回動自在に連結され他端側部分が第１可動役物４１に長穴８３とピン８４を介して連動連結されたアーム部材８２を有し、このアーム部材８２を介してバネ部材８１の付勢力を第１可動役物４１に伝達するように構成されている。
【００７２】
アーム部材８２は、ベース部材４０の下部に配設されて、その左端部がベース部材４０から後方へ突出する軸８２ａに回動自在に装着され、アーム部材８２の右部にアーム部材８２の長さ方向に細長い長穴８３が形成されている。この長穴８３には、係合体５０の連結片５０ｂから後方へ突出するピン８４が摺動自在に係合され、即ち、アーム部材８４の右部（他端側部分）が係合体５０に連動連結されている。
【００７３】
バネ部材８１は、そのコイル部が軸８２ａの回りに外装された捩じりバネ８１からなり、その一端部がベース部材４０に係止され、その他端部がアーム部材８２に係止されている。この捩じりバネ８１は、アーム部材８２を正面視にて反時計回り方向へ回動付勢し、そのアーム部材８２を介して第１可動役物４１を上方へ付勢している。
【００７４】
クッション部材９０は、ベース部材４０の下部において、ストレート係合溝５２の左側の前方突出部４０ｄの上部に設けられ、第１可動役物４１の退入位置側移動端で第１可動役物４１に下側から接触して、その退入位置側移動端での移動停止による衝撃を吸収する。クッション部材９１は、ベース部材４０のストレート係合溝５２の上端部分に設けられ、第１可動役物４１の突出位置側移動端で第１可動役物４１の係合体５０に上側から接触して、その突出位置側移動端での移動停止による衝撃を吸収する。
【００７５】
クッション部材９２は、第１可動役物の上端部分に後方膨出状に設けられ、第２可動役物４１の非作動位置側移動端で第２可動役物４１に右側から接触して、その非作動位置側移動端での移動停止による衝撃を吸収する。クッション部材９３は、第１可動役物４１の後面部に取付けられた膨出部材４１ｃの上部に設けられ、第２可動役物４１の作動位置側移動端で第２可動役物４１に下側から接触して、その作動位置側移動端での移動停止による衝撃を吸収する。
【００７６】
以上説明した可動役物装置１７の動作は次の通りである。
通常、第１可動役物４１は退避位置にあり、その大部分がセンタ役物本体１５ａの後側に隠れ、第２可動役物４２は第１位置にあり、その全部が第１可動役物４１の後側に隠れた状態になっているが、遊技球の始動口１０，１１ａへの入賞（大当り抽選）等に基づいて、可動役物装置１７を用いて特別な遊技演出が行われる際に次のようになる。
【００７７】
先ず、役物駆動機構４３により第１可動役物４１が退避位置から突出位置へ上方斜め左側へ移動駆動され、このとき、アシストバネ機構８０により、第１可動役物４１の上方駆動をアシストする力が付与される。ここで、第１可動役物４１は第１特定移動範囲外Ｂ２を移動してから第１特定移動範囲Ｂ１を移動するが、第１可動役物４１が第１特定移動範囲外Ｂ２を移動する際には、係合部材７０がストレートガイド溝７３（第１ストレートガイド面７３ａ）に係合して、第２可動役物４２は回動することなく第１可動役物４１と共に移動する。
【００７８】
次に、第１可動役物４１が特定移動範囲Ｂ１を移動する際には、係合部材７０が第１ガイド面７２ａに係合して、第２可動役物４２は第１可動役物４１と共に移動しながら左側へ素早く回動する。こうして、最終的に係合部材７０がストレート短溝７４に係合して、第１可動役物４１が退入位置から突出位置へ移動して停止し、また、第２可動役物４２が第１位置から第２位置へ回動して停止する。ここで、クッション部材９１により第１可動役物４１の突出位置側移動端での移動停止による衝撃が吸収され、クッション部材９３により第２可動役物４１の第２位置側移動端での移動停止による衝撃が吸収される。
【００７９】
その後、前記とは逆により、役物駆動機構４３により第１可動役物４１が突出位置から退避位置へ下方斜め右側へ移動駆動される。ここで、第１可動役物４１は第２特定移動範囲Ｃ１を移動してから第２特定移動範囲Ｃ２を移動するが、第１可動役物４１が第２特定移動範囲Ｃ１を移動する際には、係合部材７０が第２ガイド面７２ｂに係合して、第２可動役物４２は第１可動役物４１と共に移動しながら上側へ回動する。ここで、第１可動役物４１は突出位置へ移動する速度と略同じ速度となるように退避位置へ駆動されるが、第２可動役物４２は第２位置へ回動する速度よりもゆっくりと第１位置へ回動する。
【００８０】
次に、係合部材７０は第２ストレートガイド面７３ｂに係合するが、その時点で、第２可動役物４２は第２位置から第１位置まで回動して回動停止する。ここで、クッション部材９２により第２可動役物４１の第１位置側移動端での移動停止による衝撃が吸収される。その後、第１可動役物４１が第２特定移動範囲外Ｃ２を移動する際には、係合部材７０がストレートガイド溝７３（第１，第２ストレートガイド面７３ａ，７３ｂ）に係合して、第２可動役物４２は回動することなく第１可動役物４１と共に移動し、最終的に係合部材７０がストレートガイド溝７３の下端部に係合して、第１可動役物４１が突出位置から退入位置へ移動して停止する。ここで、クッション部材９０により第１可動役物４１の退入位置側移動端での移動停止による衝撃が吸収される。
【００８１】
この可動役物装置１７によれば次の効果を奏する。
第１可動役物４１をベース部材４０に移動自在にガイド支持し、この第１可動役物４１に第２可動役物４２を支軸４８を介して回動自在に連結し、役物駆動機構４３により第１可動役物４１及び第２可動役物４２を第１可動役物４１を介して往復駆動し、役物駆動機構４３により第１，第２可動役物４１，４２を往復駆動する際に第１可動役物４１の移動範囲Ａのうち第１又は第２特定移動範囲Ｂ１又はＣ１における往復移動時に第２可動役物４２を支軸４８を中心に往復回動させ且つ第１可動役物４１の移動範囲Ａのうち第１又は第２特定移動範囲外Ｂ２又はＣ２における往復移動時に第２可動役物４２を支軸４８を中心に往復回動させないようにガイドする第２役物ガイド機構４４を備えた。
【００８２】
従って、役物駆動機構４３により第１可動役物４１が移動駆動されると、第２役物ガイド機構４４によって、第１可動役物４１が第１又は第２特定移動範囲外Ｂ２又はＣ２を移動する際には、第２可動役物４２を回動させることなく第１可動役物４１と共に移動させ、第１可動役物４１が第１又は第２特定移動範囲Ｂ１又はＣ１を移動する際には、第２可動役物４２を第１可動役物４１と共に移動させながら回動させることができる。つまり、第１可動役物４１の動作と連動する第２可動役物４２の斬新な動作を実現して、演出効果を高めることができる。
【００８３】
第２役物ガイド機構４４は、第２可動役物４２にベース部材４０の方へ突出するように設けられた係合部材７０と、この係合部材７０が係合可能にベース部材４０に設けられたガイド溝７２とを有し、この係合部材７０とガイド溝７２とにより、役物駆動機構４３により第２可動役物４２を往復駆動する際に第２可動役物４２を支軸４８を中心に第１位置と第２位置とに亙って往復回動させるようにガイドする。
【００８４】
そこで、第２役物ガイド機構４４のガイド溝７２は、係合部材７０が係合して第２可動役物４２を第１位置へ回動させる第１ガイド面７２ａと、係合部材７０が係合して第２可動役物４２を第２位置へ回動させる第２ガイド面７２ｂとを有し、役物駆動機構４３による第２可動役物４２の往復駆動速度を一定とした場合に、第２可動役物４２が第１位置から第２位置へ回動する回動速度よりも第２位置から第１位置へ回動する回動速度の方が遅くなるように第１，第２ガイド面７２ａ，７２ｂを形成した。
【００８５】
従って、第２可動役物４２を第１位置から第２位置へ迅速に回動させることができ、これにより、第２可動役物４２による遊技演出に迫力を出すことができ、その一方で、第２可動役物４２の第２位置から第１位置へ回動は遅くなるが、それを遊技演出に変化を付けるのに利用することができる。特に、役物駆動機構４３により第２可動役物４２を停止状態（例えば、第２位置に停止している状態）から駆動する際、その駆動開始時から第２可動役物４２を第１位置へ回動させる場合の駆動負荷を軽減することができ、従って、役物駆動機構４３に比較的低出力の電動モータ６０を適用して、第２可動役物４２の上記動作を円滑に実現することができる。
【００８６】
第１可動役物４１の往復移動方向のうち第１可動役物４１が退避位置から突出位置へ移動する方向の移動方向であり、役物駆動機構４３の駆動負荷が重力等の影響で大きい方の移動方向へ第１可動役物４１を付勢するバネ部材８１を有するアシストバネ機構８０を備えた。従って、第１可動役物４１を駆動する負荷を有効に低減することができ、第１，第２可動役物４１，４２を比較的大型にまた大きく動作させるようにして、特に、第１可動役物４１を退避位置から突出位置へ移動させ第２可動役物４２を第１位置から第２位置へ回動させる場合に、迅速に円滑に駆動可能になる。
【００８７】
ベース部材４０に第１可動役物４１の往復移動端での移動停止による衝撃を吸収するクッション部材９０，９１を設け、第１可動役物４１に第２可動役物４２の往復移動端での移動停止による衝撃を吸収するクッション部材９２，９３を設けた。従って、第１，第２可動役物４１，４２の往復移動端での移動停止による衝撃によって、第１，第２可動役物４１，４２や役物駆動機構４３が損傷を受けることと、第１，第２可動役物がガタついて見栄えを悪くすること、等の課題を抑制することができる。
【実施例２】
【００８８】
実施例２は、実施例１を部分的に変更したものである。尚、実施例１と同機能を有するものには、類似する符号を付して適宜説明を省略する。
【００８９】
図１６、図１７に示すように、この可動役物装置１７Ａでは、役物ガイド機構４４Ａにおいて、係合部材７０Ａがベース部材４０Ａに設けられるとともに、ガイド溝７２Ａ、ストレートガイド溝７３Ａ、ストレート短溝７４Ａが第２可動役物４２Ａに設けられている。尚、ガイド溝７２Ａ、ストレートガイド溝７３Ａ、ストレート短溝７４Ａは、正面視にて、実施例１のガイド溝７２、ストレートガイド溝７３、ストレート短溝７４を１８０度反転させた形状となる。
【００９０】
この可動役物装置１７Ａによれば、実施例１の可動役物装置１７と同様の動作を実現し同様の効果を奏する。尚、実施例１の係合体５０に代わる係合体をベース部材４０Ａに設け、実施例１のストレート係合溝５２に代わるストレート係合溝を第１可動役物４１に設けてもよい。この場合、アシストバネ機構８０のアーム部材８２の他端側部分は、第１可動役物４１の所定部に長穴とピンを介して連結される。
【００９１】
尚、実施例１のガイド溝７２（実施例２のガイド溝７２Ａも同様）の第１，第２ガイド面７２ａ，７２ｂの形状について、また、ストレートガイド溝７３（実施例２のストレートガイド溝７３Ａも同様）については種々の形状としてもよい。例えば、図１８に示すように、実施例１の第１ガイド面７２ａの代わりに、ストレート状の第１ガイド面７２Ｂａを採用し、実施例１の第２ストレートガイド面７３ｂを省略し、ストレート短溝７４から実施例１の第２ストレートガイド面７３ｂの下端部が位置した部分まで略ストレート状に延びる第２ガイド面７２Ｂｂを採用してもよい。
【００９２】
また、第１可動役物４１を省略し、第２可動役物４２（可動役物４２）を第１可動役物４１以外の駆動伝達部材に支軸を介して回動自在に連結し、この駆動伝達部材を介して可動役物４２を移動駆動するようにしてもよい。この場合、実施例１のベース部材４０と役物駆動機構４３が変更され、実施例１のアシストバネ機構８０とクッション部材９０〜９３等は省略される。
【００９３】
例えば、図１９に示すように、駆動伝達部材９５は、その基端部が電動モータ９６を含む役物駆動機構９７に連結され、この役物駆動機構９７により回動駆動される。駆動伝達部材９５の先端部が係合部材７０に連結され、この連結は、駆動伝達部材９５の先端部に形成された長孔に支軸４８を摺動自在に係合させて構成される。即ち、役物駆動機構９７により駆動伝達部材９５が回動駆動されると、実施例１で説明した第２可動役物４２の動作と同様に、可動役物４２が動作する。
【００９４】
その他、本発明の趣旨を逸脱しない範囲において、種々の変更を付加して実施可能である。例えば、第１，第２可動役物の形状・サイズ、第１可動役物の移動方向、第２可動役物の回動方向、ガイド溝やストレートガイド溝の形状、等については適宜変更可能である。また、本発明は、パチンコ遊技機に搭載される種々の可動役物装置に適用可能である。
【符号の説明】
【００９５】
１  パチンコ遊技機
１７，１７Ａ  可動役物装置
４０，４０Ａ  ベース部材
４１  第１可動役物
４２，４２Ａ  第２可動役物
４３  役物駆動機構
４４，４４Ａ  役物ガイド機構
７０，７０Ａ  係合部材
７２，７２Ａ，７２Ｂ  ガイド溝
７２ａ，７２Ａａ，７２Ｂａ  第１ガイド面
７２ｂ，７２Ａｂ，７２Ｂｂ  第２ガイド面
７３，７３Ａ  ストレートガイド溝
９５  駆動伝達部材
９７  役物駆動機構
【図１】
0005618666.tif 000002
【図２】
0005618666.tif 000003
【図３】
0005618666.tif 000004
【図４】
0005618666.tif 000005
【図５】
0005618666.tif 000006
【図６】
0005618666.tif 000007
【図７】
0005618666.tif 000008
【図８】
0005618666.tif 000009
【図９】
0005618666.tif 000010
【図１０】
0005618666.tif 000011
【図１１】
0005618666.tif 000012
【図１２】
0005618666.tif 000013
【図１３】
0005618666.tif 000014
【図１４】
0005618666.tif 000015
【図１５】
0005618666.tif 000016
【図１６】
0005618666.tif 000017
【図１７】
0005618666.tif 000018
【図１８】
0005618666.tif 000019
【図１９】
0005618666.tif 000020